(57)【要約】【課題】電源コードの断線を防止できる縦型電気掃除機を提供する。【解決手段】電源コード２０を巻き取るコードリール２１を内装する本体部４と、本体部４を覆う本体カバー４ａと、吸込口を有して本体部４の下方に配される吸込口体５と、本体カバー４ａに開口して電源コード２０が引き出される開口部１０ａと、開口部１０ａの周縁に設けられる回転自在のローラー２５とを備えた。【選択図】図２
2011120751.tif 000002
【特許請求の範囲】
【請求項１】
電源コードを巻き取るコードリールを内装する本体部と、前記本体部を覆う本体カバーと、吸込口を有して前記本体部の下方に配される吸込口体と、前記本体カバーに開口して前記電源コードが引き出される開口部と、前記開口部の周縁に設けられる回転自在のローラーとを備えたことを特徴とする縦型電気掃除機。
【請求項２】
電源コードを巻き取るコードリールを内装する本体部と、前記本体部を覆う本体カバーと、吸込口を有して前記本体部の下方に配される吸込口体と、前記本体カバーに凹設して前記電源コードが引き出される開口部が開口するとともに巻き取られた前記電源コードのプラグが収納される凹部と、前記凹部の内壁の開放側の端縁に設けられる回転自在のローラーとを備えたことを特徴とする縦型電気掃除機。
【請求項３】
前記開口部が前記本体部の上部に配され、前記ローラーが水平な回転軸を有して前記開口部の下方に配されることを特徴とする請求項１または請求項２に記載の縦型電気掃除機。
【発明の詳細な説明】
【技術分野】
【０００１】
本発明は、コードリールに巻き取られた電源コードを引き出して使用される縦型電気掃除機に関する。
【背景技術】
【０００２】
従来の電気掃除機は特許文献１に開示されている。この電気掃除機は所謂キャニスター型に構成され、電動送風機を内装した本体部が本体カバーにより覆われる。本体部には可撓性の接続ホースが接続され、接続ホースの先端には把持部が設けられるとともに延長パイプが接続される。延長パイプの先端には床面に対峙する吸込口が開口した吸込口体が設けられる。また、本体部内には電動送風機の上方に電源コードを巻き取るコードリールが内装され、本体カバーには電源コードが引き出される開口部が開口する。
【０００３】
開口部から引き出された電源コードを商用電源に接続して電動送風機が駆動される。電動送風機の駆動によって吸込口から床面の塵埃が吸い込まれ、延長パイプ及び接続ホースを介して塵埃が本体部に導かれて集塵される。
【０００４】
また、開口部の内側には電源コードが出し入れにより摺動する通路が形成され、通路内の壁面には回転自在のローラーが配される。ローラーによって電源コードの出し入れを円滑に行うことができる。
【先行技術文献】
【特許文献】
【０００５】
【特許文献１】特許第３２８６３８０号公報（第２頁−第３頁、第４図）
【発明の概要】
【発明が解決しようとする課題】
【０００６】
本体部の下方に吸込口体が配される縦型電気掃除機は、上記のキャニスター型の電気掃除機のように電源コードが引き出される本体部と吸込口体との間に可撓性の接続ホースが設けられない。このため、本体部の上方に設けた把持部を使用者が把持して吸込口体と本体部とが一体に移動する。この時、吸込口体の移動によって電源コードが開口部の周縁や本体カバーのエッジ部分に摺動し、電源コードには摺動摩擦によって大きな引張り力が加わる。これにより、電源コードの断線が発生する問題があった。
【０００７】
本発明は、電源コードの断線を防止できる縦型電気掃除機を提供することを目的とする。
【課題を解決するための手段】
【０００８】
上記目的を達成するために本発明は、電源コードを巻き取るコードリールを内装する本体部と、吸込口を有して前記本体部の下方に配される吸込口体と、前記本体部を覆う本体カバーと、前記本体カバーに開口して前記電源コードが引き出される開口部と、前記開口部の周縁に設けられる回転自在のローラーとを備えたことを特徴としている。
【０００９】
この構成によると、本体カバーの開口部から引き出された電源コードが商用電源に接続される。そして、吸込口を有した吸込口体と電動送風機を内装する本体部とが一体に移動して床面等の掃除が行われる。吸込口体の移動によって電源コードが引張られると、開口部の周縁に設けたローラーが電源コードに接して回転し、電源コードが引き出される。
【００１０】
また本発明は、電源コードを巻き取るコードリールを内装する本体部と、前記本体部を覆う本体カバーと、吸込口を有して前記本体部の下方に配される吸込口体と、前記本体カバーに凹設して前記電源コードが引き出される開口部が開口するとともに巻き取られた前記電源コードのプラグが収納される凹部と、前記凹部の内壁の開放側の端縁に設けられる回転自在のローラーとを備えたことを特徴としている。
【００１１】
この構成によると、本体カバーの開口部から引き出された電源コードが商用電源に接続される。そして、吸込口を有した吸込口体と電動送風機を内装する本体部とが一体に移動して床面等の掃除が行われる。吸込口体の移動によって電源コードが引張られると、凹部の開放側の端縁に設けたローラーが電源コードに接して回転し、電源コードが引き出される。また、電源コードが巻き取られると電源コードのプラグが凹部内に収納される。
【００１２】
また本発明は、上記構成の電気掃除機において、前記開口部が前記本体部の上部に配され、前記ローラーが水平な回転軸を有して前記開口部の下方に配されることを特徴としている。
【発明の効果】
【００１３】
本発明によると、電源コードが引き出される開口部の周縁に回転自在のローラーを設けたので、電源コードが引張られた際に電源コードに接するローラーが回転する。これにより、電源コードの摺動摩擦による引張り力を低減し、電源コードの断線を防止することができる。
【００１４】
また本発明によると、電源コードが引き出される開口部を有した凹部の端縁に回転自在のローラーを設けたので、電源コードが引張られた際に電源コードに接するローラーが回転する。これにより、電源コードの摺動摩擦による引張り力を低減し、電源コードの断線を防止することができる。
【図面の簡単な説明】
【００１５】
【図１】本発明の第１実施形態の電気掃除機を示す斜視図
【図２】本発明の第１実施形態の電気掃除機の本体部を示す上面断面図
【図３】本発明の第１実施形態の電気掃除機の凹部を示す斜視図
【図４】本発明の第１実施形態の電気掃除機の凹部を示す側面図
【図５】本発明の第１実施形態の電気掃除機の凹部を示す背面図
【図６】本発明の第２実施形態の電気掃除機の凹部を示す側面図
【図７】本発明の第３実施形態の電気掃除機の凹部を示す側面図
【図８】本発明の第４実施形態の電気掃除機の凹部を示す側面図
【発明を実施するための形態】
【００１６】
以下に本発明の実施形態を図面を参照して説明する。図１は第１実施形態の縦型電気掃除機を示す斜視図である。縦型電気掃除機１は電動送風機（不図示）を内装する本体部４の下方に吸込口体５が一体に設けられる。吸込口体５の底面には床面に対峙する吸込口（不図示）が開口する。本体部４の下部には着脱自在の集塵容器９が設けられる。
【００１７】
本体部２は樹脂成形品から成る本体カバー４ａで覆われ、本体カバー４ａの後部には排気口１１が形成される。また、本体カバー４ａの背面側の上部には詳細を後述する凹部１０が凹設される。
【００１８】
本体部４の上方にはボタン１２の操作により着脱自在の延長パイプ６が鉛直方向に延びて配される。延長パイプ６の上端には使用者が把持する把持部８が設けられる。延長パイプ６の背面側の上部と本体部４との間は伸縮自在の接続ホース７で連結される。
【００１９】
延長パイプ６を本体部４に装着した状態で電動送風機が駆動されると、吸込口体５の吸込口から塵埃とともに空気が吸い込まれる。吸込口から吸い込まれた空気は本体部４内を流通し、集塵容器９により集塵される。塵埃が除去された空気は排気口１１から排気される。これにより、床面の掃除が行われる。
【００２０】
また、延長パイプ６を本体部４から脱着した状態で電動送風機が駆動されると、延長パイプ６の先端から塵埃とともに空気が吸い込まれる。延長パイプ６から吸い込まれた空気は接続ホース７を流通し、本体部４内の集塵容器９で集塵されて排気口１１から排気される。これにより、室内の天井面や家具の隙間等の掃除を行うことができる。
【００２１】
図２は本体部４の上部の上面断面図を示している。本体部４の上部には電源コード２０を巻き取るコードリール２１が回転軸を鉛直方向にして配される。コードリール２１の周囲には巻き取られた電源コード２０を収納するハウジング２２が設けられる。本体カバー４ａの凹部１０にはハウジング２２内に巻回される電源コード２０を引き出す開口部１０ａが開口し、開口部１０ａの周縁にはローラー２５が設けられる。
【００２２】
図３、図４、図５は凹部１０の詳細を示す斜視図、背面図及び側面図である。凹部１０は前方、一側方、上方及び下方をそれぞれ前壁１０ｂ、側壁１０ｃ、上壁１０ｄ及び下壁１０ｅで覆われ、側壁１０ｃに対向する側面及び背面側が開放される。開口部１０ａは前壁１０ｂに形成され、電源コード２０（図２参照）が巻き取られた状態でプラグ２０ａが凹部１０内に収納される。
【００２３】
ローラー２５は回転軸を鉛直に配して開口部１０ａの側壁１０ｃと反対側の周縁に設けられる。ローラー２５の周面はエラストマー樹脂等の軟質材料により形成される。
【００２４】
開口部１０ａから電源コード２０が引き出され、プラグ２０ａを商用電源に接続して縦型電気掃除機１による掃除が行われる。延長パイプ６を本体部４に装着した状態で吸込口体５を前後移動させた際に電源コード２０が引張られると、ローラー２５が回転して電源コード２０が円滑に引き出される。このため、開口部１０ａの周縁や本体カバー４ａの側面側のエッジ４ｂ（図４参照）との摺動摩擦によって電源コード２０に加わる引張り力を低減することができる。
【００２５】
本実施形態によると、電源コード２０が引き出される開口部１０ａの周縁に回転自在のローラー２５を設けたので、電源コード２０が引張られた際に電源コード２０に接するローラー２５が回転する。これにより、電源コード２０の摺動摩擦による引張り力を低減し、電源コード２０の断線を防止することができる。
【００２６】
本実施形態において、凹部１０の前壁１０ｂに開口部１０ａを設けているが、凹部１０を形成せずに本体カバー４ａの周面に開口部１０ａが開口してもよい。この時、上記と同様に、開口部１０ａの周縁にローラー２５を設けることによって電源コード２０の断線を防止することができる。
【００２７】
次に、図６は第２実施形態の縦型電気掃除機１の凹部１０の詳細を示す背面図である。説明の便宜上、前述の図１〜図５に示す第１実施形態と同様の部分には同一の符号を付している。本実施形態は第１実施形態に加えて凹部１０にローラー２６が設けられている。その他の部分は第１実施形態と同様である。
【００２８】
ローラー２６はローラー２５と同様に構成され、回転軸を鉛直に配して側壁１０ｃの開放側（後方）の端縁に設けられる。
【００２９】
延長パイプ６を本体部４に装着した状態で吸込口体５を前後移動させた際に電源コード２０が引張られると電源コード２０に接するローラー２５やローラー２６が回転して電源コード２０が円滑に引き出される。このため、開口部１０ａの周縁や本体カバー４ａのエッジ４ｂに加え、凹部１０の側壁１０ｃのエッジとの摺動摩擦によって電源コード２０に加わる引張り力を低減することができる。
【００３０】
本実施形態によると、第１実施形態と同様の効果を得ることができる。加えて、電源コード２０が引き出される開口部１０ａを有した凹部１０の側壁１０ｃ（内壁）の端縁に回転自在のローラー２６を設けたので、電源コード２０が引張られた際に電源コード２０に接するローラー２６が回転する。これにより、電源コード２０の摺動摩擦による引張り力を低減し、電源コード２０の断線を防止することができる。
【００３１】
次に、図７は第３実施形態の縦型電気掃除機１の凹部１０の詳細を示す背面図である。説明の便宜上、前述の図１〜図５に示す第１実施形態と同様の部分には同一の符号を付している。本実施形態は第１実施形態に加えて凹部１０にローラー２７が設けられている。その他の部分は第１実施形態と同様である。
【００３２】
ローラー２７はローラー２５と同様に構成され、回転軸を水平に配して上壁１０ｄの開放側（後方）の端縁に設けられる。
【００３３】
延長パイプ６を本体部４に装着した状態で吸込口体５を前後移動させた際に電源コード２０が引張られると電源コード２０に接するローラー２５やローラー２７が回転して電源コード２０が円滑に引き出される。このため、開口部１０ａの周縁や本体カバー４ａのエッジ４ｂに加え、凹部１０の上壁１０ｄのエッジとの摺動摩擦によって電源コード２０に加わる引張り力を低減することができる。
【００３４】
本実施形態によると、第１実施形態と同様の効果を得ることができる。加えて、電源コード２０が引き出される開口部１０ａを有した凹部１０の上壁１０ｄ（内壁）の端縁に回転自在のローラー２７を設けたので、電源コード２０が引張られた際に電源コード２０に接するローラー２７が回転する。これにより、電源コード２０の摺動摩擦による引張り力を低減し、電源コード２０の断線を防止することができる。
【００３５】
次に、図８は第４実施形態の縦型電気掃除機１の凹部１０の詳細を示す背面図である。説明の便宜上、前述の図１〜図５に示す第１実施形態と同様の部分には同一の符号を付している。本実施形態は第１実施形態に加えて凹部１０にローラー２８が設けられている。その他の部分は第１実施形態と同様である。
【００３６】
ローラー２８はローラー２５と同様に構成され、回転軸を水平に配して下壁１０ｅの開放側（後方）の端縁に設けられる。
【００３７】
延長パイプ６を本体部４に装着した状態で吸込口体５を前後移動させた際に電源コード２０が引張られると電源コード２０に接するローラー２５やローラー２８が回転して電源コード２０が円滑に引き出される。このため、開口部１０ａの周縁や本体カバー４ａのエッジ４ｂに加え、凹部１０の下壁１０ｅのエッジとの摺動摩擦によって電源コード２０に加わる引張り力を低減することができる。
【００３８】
本実施形態によると、第１実施形態と同様の効果を得ることができる。加えて、電源コード２０が引き出される開口部１０ａを有した凹部１０の下壁１０ｅ（内壁）の端縁に回転自在のローラー２８を設けたので、電源コード２０が引張られた際に電源コード２０に接するローラー２８が回転する。これにより、電源コード２０の摺動摩擦による引張りを低減し、電源コード２０の断線を防止することができる。
【００３９】
また、開口部１０ａが本体部４の上部に配され、ローラー２８が水平軸を有して開口部１０ａの下方に配されるので、屋内の下部に配される場合が多い商用電源に接続された電源コード２０と凹部１０の下壁１０ｅとの摺動をより確実に回避することができる。
【００４０】
第２〜第４実施形態において、ローラー２６、２７、２８の２つまたは３つを同時に設けてもよく、ローラー２５を省いてもよい。
【産業上の利用可能性】
【００４１】
本発明によると、コードリールに巻き取られた電源コードを引き出して使用される縦型電気掃除機に利用することができる。
【符号の説明】
【００４２】
１    縦型電気掃除機
４    本体部
４ａ  本体カバー
４ｂ  エッジ
５    吸込口体
６    延長パイプ
７    接続ホース
９    集塵容器
１０    凹部
１０ａ  開口部
１０ｂ  前壁
１０ｃ  側壁
１０ｄ  上壁
１０ｅ  下壁
１１    排気口
２０    電源コード
２０ａ  プラグ
２１    コードリール
２２    ハウジング
２５〜２８  ローラー
【図１】
2011120751.tif 000003
【図２】
2011120751.tif 000004
【図３】
2011120751.tif 000005
【図４】
2011120751.tif 000006
【図５】
2011120751.tif 000007
【図６】
2011120751.tif 000008
【図７】
2011120751.tif 000009
【図８】
2011120751.tif 000010